【手続補正書】
【提出日】平成17年10月6日(2005.10.6)
【手続補正１】
【補正対象書類名】明細書
【補正対象項目名】発明の名称
【補正方法】変更
【補正の内容】
【発明の名称】情報処理装置、方法及び記憶媒体
【手続補正２】
【補正対象書類名】明細書
【補正対象項目名】特許請求の範囲
【補正方法】変更
【補正の内容】
【特許請求の範囲】
【請求項１】  印刷装置が有する機能を示す機能情報を読み出す第１の読み出し手段と、
情報処理装置が有する機能を示す機能情報を読み出す第２の読み出し手段と、
前記第１の読み出し手段により読み出された機能情報と、第２の読み出し手段により読み出された機能情報に基づき、印刷の設定を示すリストを表示する表示手段を備え、
前記表示手段は、表示されたリストに示された印刷の設定が、前記第１の読み出し手段により読み出された機能情報に基づく設定及び前記第２の読み出し手段により読み出された機能情報に基づく設定のうちいずれに基づくかを識別して表示することを特徴とする情報処理装置。
【請求項２】  外部からの印刷装置を選択する指示を受け付ける入力手段を備え、
前記第１の読み出し手段は、前記入力手段による指示に応答して、選択された印刷装置が有する機能を示す機能情報を読み出すことを特徴とする請求項１に記載の情報処理装置。
【請求項３】  前記表示手段は、前記第１の読み出し手段により読み出された機能情報は含まれるが、前記第２の読み出し手段により読み出された機能情報には含まれない機能情報がある場合には、リストにその旨を識別して表示することを特徴とする請求項１又は２に記載の情報処理装置。
【請求項４】  前記表示手段は、表示されたリストに示された印刷の設定のうち、前記第１の読み出し手段により読み出された機能情報に基づく設定及び前記第２の読み出し手段により読み出された機能情報に基づく設定のうちいずれに基づくかをアイコンによって識別して表示することを特徴とする請求項１又は２に記載の情報処理装置。
【請求項５】  前記表示手段は、前記第１の読み出し手段により読み出された機能情報に基づく設定であることを示す第１のアイコンと、前記第２の読み出し手段により読み出された機能情報に基づく設定であることを示す第２のアイコンを、それぞれ対応する設定とともに表示することを特徴とする請求項４に記載の情報処理装置。
【請求項６】  印刷装置が有する機能を示す機能情報を読み出す第１の読み出し手段と、
情報処理装置が有する機能を示す機能情報を読み出す第２の読み出し手段と、
印刷の設定を示すリストを表示する表示手段と、
前記第１及び第２の読み出し手段により読み出された機能情報に基づき、印刷の設定を変更する変更手段を備え、
前記表示手段は、前記変更手段による変更を、反映したリストを表示することを特徴とする情報処理装置。
【請求項７】  外部からの印刷装置を選択する指示を受け付ける入力手段を備え、
前記第１の読み出し手段は、前記入力手段による指示に応答して、選択された印刷装置が有する機能を示す機能情報を読み出すことを特徴とする請求項６に記載の情報処理装置。
【請求項８】  前記変更手段は、前記第１の読み出し手段により読み出された機能情報と、第２の読み出し手段により読み出された機能情報に異なる機能がある場合に変更を行うことを特徴とする請求項６又は７に記載の情報処理装置。
【請求項９】  前記変更手段は、用紙サイズに関する設定を変更することを特徴とする請求項６又は７に記載の情報処理装置。
【請求項１０】  印刷装置が有する機能を示す機能情報を読み出す第１の読み出し工程と、
情報処理装置が有する機能を示す機能情報を読み出す第２の読み出し工程と、
前記第１の読み出し工程により読み出された機能情報と、第２の読み出し工程により読み出された機能情報に基づき、印刷の設定を示すリストを表示する表示工程を有し、
前記表示工程は、表示されたリストに示された印刷の設定が、前記第１の読み出し工程により読み出された機能情報に基づく設定及び前記第２の読み出し工程により読み出された機能情報に基づく設定のうちいずれに基づくかを識別して表示することを特徴とする情報処理方法。
【請求項１１】  印刷装置が有する機能を示す機能情報を読み出す第１の読み出し工程と、
情報処理装置が有する機能を示す機能情報を読み出す第２の読み出し工程と、
印刷の設定を示すリストを表示する表示工程と、
前記第１及び第２の読み出し工程により読み出された機能情報に基づき、印刷の設定を変更する変更工程を有し、
前記表示工程は、前記変更工程による変更を反映したリストを表示することを特徴とする情報処理方法。
【請求項１２】  コンピュータに、
印刷装置が有する機能を示す機能情報を読み出す第１の読み出し工程と、
情報処理装置が有する機能を示す機能情報を読み出す第２の読み出し工程と、
前記第１の読み出し工程により読み出された機能情報と、第２の読み出し工程により読み出された機能情報に基づき、印刷の設定を示すリストを表示する表示工程を有し、
前記表示工程は、表示されたリストに示された印刷の設定が、前記第１の読み出し工程により読み出された機能情報に基づく設定及び前記第２の読み出し工程により読み出された機能情報に基づく設定のうちいずれに基づくかを識別して表示する情報処理方法を実行させるためのプログラムを記憶したことを特徴とするコンピュータ可読の記憶媒体。
【請求項１３】  コンピュータに、
印刷装置が有する機能を示す機能情報を読み出す第１の読み出し工程と、
情報処理装置が有する機能を示す機能情報を読み出す第２の読み出し工程と、
印刷の設定を示すリストを表示する表示工程と、
前記第１及び第２の読み出し工程により読み出された機能情報に基づき、印刷の設定を変更する変更工程を有し、
前記表示工程は、前記変更工程による変更を反映したリストを表示する情報処理方法を実行させるためのプログラムを記憶したことを特徴とするコンピュータ可読の記憶媒体。
【手続補正３】
【補正対象書類名】明細書
【補正対象項目名】０００１
【補正方法】変更
【補正の内容】
【０００１】
【発明の属する技術分野】
本発明は、データの編集、参照、および印刷装置でデータを印刷するための設定を行うプログラムを含む情報処理装置、方法、およびその方法を実行するためのプログラムを記録した記録媒体に関する。
【手続補正４】
【補正対象書類名】明細書
【補正対象項目名】００１１
【補正方法】変更
【補正の内容】
【００１１】
【課題を解決するための手段】
前記目的を達成するために本発明に係る情報処理装置は主として以下に示す構成よりなる。
【手続補正５】
【補正対象書類名】明細書
【補正対象項目名】００１２
【補正方法】変更
【補正の内容】
【００１２】
すなわち、情報処理装置は、印刷装置が有する機能を示す機能情報を読み出す第１の読み出し手段と、
情報処理装置が有する機能を示す機能情報を読み出す第２の読み出し手段と、
前記第１の読み出し手段により読み出された機能情報と、第２の読み出し手段により読み出された機能情報に基づき、印刷の設定を示すリストを表示する表示手段を備え、
前記表示手段は、表示されたリストに示された印刷の設定が、前記第１の読み出し手段により読み出された機能情報に基づく設定及び前記第２の読み出し手段により読み出された機能情報に基づく設定のうちいずれに基づくかを識別して表示することを特徴とする。
【手続補正６】
【補正対象書類名】明細書
【補正対象項目名】００１３
【補正方法】変更
【補正の内容】
【００１３】
また、情報処理装置は、印刷装置が有する機能を示す機能情報を読み出す第１の読み出し手段と、
情報処理装置が有する機能を示す機能情報を読み出す第２の読み出し手段と、
印刷の設定を示すリストを表示する表示手段と、
前記第１及び第２の読み出し手段により読み出された機能情報に基づき、印刷の設定を変更する変更手段を備え、
前記表示手段は、前記変更手段による変更を、反映したリストを表示することを特徴とする。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】